(57)【要約】【課題】車両から離れた場所にて車両下方の状況について容易に把握できる車両下方照明装置を提供することにある。【解決手段】車両１の下部に設けられ、光を照射するランプ１１と、ランプ１１による光の照射動作を行う信号を発信することにより前記ランプ１１の光の照射動作を遠隔操作可能な光照射スイッチを有する発信手段と、前記発信手段から発信された前記信号に基づき、ランプ１１による光の照射動作を制御する制御手段と、を備え、前記ランプ１１は、車両下方向に対し車幅方向内側へ角度を有して配置されるようにした。【選択図】図１
2017114286.tif 000002
【特許請求の範囲】
【請求項１】
車両の下部に設けられ、光を照射する光照射手段と、
前記光照射手段による光の照射動作を行う信号を発信することにより前記光照射手段の光の照射動作を遠隔操作可能な光照射スイッチを有する発信手段と、
前記発信手段から発信された前記信号に基づき、前記光照射手段による光の照射動作を制御する制御手段と、
を備え、
前記光照射手段は、車両下方向に対し車幅方向内側へ角度を有して配置される
ことを特徴とする車両下方照明装置。
【請求項２】
請求項１に記載された車両下方照明装置であって、
前記光照射手段は、複数あり、
前記複数の光照射手段は、車両の前後方向で隣接して配置される
ことを特徴とする車両下方照明装置。
【請求項３】
請求項２に記載された車両下方照明装置であって、
前記複数の光照射手段は、運転席側に配置される
ことを特徴とする車両下方照明装置。
【請求項４】
請求項２に記載された車両下方照明装置であって、
前記複数の光照射手段は、助手席側に配置される
ことを特徴とする車両下方照明装置。
【請求項５】
請求項１から請求項４の何れか一項に記載された車両下方照明装置であって、
前記車両は、当該車両の骨格部材をなし、車幅方向両側部にて車両前後方向に延設するサイドシルに設けられ、当該車両への人の乗降を補助するサイドステップを備え、
前記光照射手段は、前記サイドステップにおける車幅方向内側に配置される
ことを特徴とする車両下方照明装置。
【発明の詳細な説明】
【技術分野】
【０００１】
本発明は、車両下方照明装置に関する。
【背景技術】
【０００２】
車両が停車しているときや車両が走行しているときに、車両の下方に光を照射する車両下方照明装置が種々検討されている。
【０００３】
例えば、下記特許文献１には、低速走行モードにて車両の床下に光を放出する第１ＬＥＤユニットと、高速走行モードにて車両の床下に光を放出する第２ＬＥＤユニットとを備える床下照明装置が開示されている。
【先行技術文献】
【特許文献】
【０００４】
【特許文献１】特開２００６−１３７３３１号公報
【発明の概要】
【発明が解決しようとする課題】
【０００５】
ところで、車両下方に不審者がいるなどの異常の有無について、車に乗り込む前に点検している場合がある。このような場合、車両下方の状況について車両から離れた場所にて把握できれば、車両に乗り込もうとする人の安全性が高められる。しかしながら、上記特許文献１に記載の床下照明装置においては、車両の床下への光の放出を走行時にしか行うことができなかった。仮に、前記床下照明装置を停車時に行なえるようにしたとしても、車両から離れた場所にて車両下方の状況について容易に把握できない可能性があった。そのため、車両から離れた場所にて車両下方の状況について容易に把握できることが求められていた。
【０００６】
以上のことから、本発明は、上述したような課題を解決するために為されたものであって、車両から離れた場所にて車両下方の状況について容易に把握できる車両下方照明装置を提供することを目的としている。
【課題を解決するための手段】
【０００７】
前述した課題を解決する第１の発明に係る車両下方照明装置は、車両の下部に設けられ、光を照射する光照射手段と、前記光照射手段による光の照射動作を行う信号を発信することにより前記光照射手段の光の照射動作を遠隔操作可能な光照射スイッチを有する発信手段と、前記発信手段から発信された前記信号に基づき、前記光照射手段による光の照射動作を制御する制御手段と、を備え、前記光照射手段は、車両下方向に対し車幅方向内側へ角度を有して配置されることを特徴とする。
【０００８】
前述した課題を解決する第２の発明に係る車両下方照明装置は、第１の発明に係る車両下方照明装置であって、前記光照射手段は、複数あり、前記複数の光照射手段は、車両の前後方向で隣接して配置されることを特徴とする。
【０００９】
前述した課題を解決する第３の発明に係る車両下方照明装置は、第２の発明に係る車両下方照明装置であって、前記複数の光照射手段は、運転席側に配置されることを特徴とする。
【００１０】
前述した課題を解決する第４の発明に係る車両下方照明装置は、第２の発明に係る車両下方照明装置であって、前記複数の光照射手段は、助手席側に配置されることを特徴とする。
【００１１】
前述した課題を解決する第５の発明に係る車両下方照明装置は、第１から第４の何れか一つの発明に係る車両下方照明装置であって、前記車両は、当該車両の骨格部材をなし、車幅方向両側部にて車両前後方向に延設するサイドシルに設けられ、当該車両への人の乗降を補助するサイドステップを備え、前記光照射手段は、前記サイドステップにおける車幅方向内側に配置されることを特徴とする。
【発明の効果】
【００１２】
本発明によれば、発信手段を操作することにより、車両の下部に設けられた光照射手段から光を照射することができる。光照射手段が車両下方向に対し車幅方向内側へ角度を有して配置されることから、仮に、車両下方に不審者がいる場合には車両の車幅方向側部の外側またはその近傍にて前記光照射手段からの光や前記光が遮られることによる影が生じることになる。そのため、車両から離れた場所にて車両下方の状況について容易に把握できる。
【図面の簡単な説明】
【００１３】
【図１】本発明の第一の実施形態に係る車両下方照明装置の説明図であって、図１（ａ）に前記車両下方照明装置が設けられた車両の概略を示し、図１（ｂ）に前記車両の平面を示す。
【図２】図１における矢線ＩＩ方向から見た図である。
【図３】図１における囲み線ＩＩＩの拡大図である。
【図４】前記車両下方照明装置のブロック図である。
【図５】本発明の第二の実施形態に係る車両下方照明装置の説明図であって、図５（ａ）に前記車両下方照明装置が設けられた車両の概略を示し、図５（ｂ）に前記車両の平面を示す。
【発明を実施するための形態】
【００１４】
本発明に係る車両下方照明装置の各実施形態について、図面を用いて説明するが、以下に説明する実施形態のみに限定されるものではない。
【００１５】
［第一の実施形態］
本発明の第一の実施形態に係る車両下方照明装置について、図１から図４を用いて以下に説明する。なお、本実施形態では、車幅方向左側に運転席があり、車幅方向右側に助手席がある車両への適用を前提にして説明する。
【００１６】
本実施形態に係る車両下方照明装置１０は、図４に示すように、複数（図１（ｂ）では４つ）のランプ１１と、制御装置（ＥＣＵ：Electric Control Unit）１２と、受信機１３と、リモコン１４とを備える。
なお、ランプ１１とＥＣＵ１２とは、信号線を介して接続している。ＥＣＵ１２は、カウンタやＣＰＵやメモリなどを備える。
【００１７】
リモコン１４は、ランプ１１の点灯・消灯信号を無線発信することにより遠隔操作可能なランプ点灯・消灯スイッチなどを備える。
【００１８】
受信機１３は、信号線を介してＥＣＵ１２と接続している。受信機１３は、リモコン１４から無線発信される信号を受信する機器である。
【００１９】
ＥＣＵ１２は、ランプ１１を含めた各機器を制御する装置である。ＥＣＵ１２は、受信機１３で受信した信号に基づきランプ１１による光の照射動作（点灯、消灯）を制御する。よって、リモコン１４にて前記ランプ点灯スイッチをオンにすると、リモコン１４からランプ１１の点灯信号が無線発信され、この信号を受信機１３で受信すると、ＥＣＵ１２は、前記信号に基づきランプ１１による光の照射動作（点灯、消灯）を制御することになる。
【００２０】
上述した複数のランプ１１は、車幅方向左側部にて車両１の下方の部材に設けられる。例えば、図２および図３に示すように、複数のランプ１１を運転席側のサイドステップ７の下部の車幅方向内側に設けることができる。サイドステップ７は、人が車両１への乗り降りを補助するためのステップであって、車幅方向の断面にて略Ｌ字状をなしている。サイドステップ７は、車両１の骨格部材をなし、車幅方向両側にて車両前後方向に延設するサイドシル５に設けられる。サイドステップ７は、例えば、サイドシル５のサイドシルインナ５ｂにボルト９ａおよびナット９ｂで固定される。サイドシル５は、車幅方向外側に配置されるサイドシルアウタ５ａと、車幅方向内側に配置されるサイドシルインナ５ｂと、これらの間に配置されるサイドシルリンホース５ｃとを有する。サイドシルアウタ５ａの上部側が車両１の上下方向に延設するセンターピラー６の下部に固定される。
【００２１】
複数のランプ１１は、車両下方に対し車幅方向内側へ角度を有して配置される。すなわち、複数のランプ１１は、図１に示すように、運転者Ｐ１側である車幅方向左側部の車両１の下方の部材（例えば、サイドステップ７）にて、車両下方に対し車幅方向内側（車幅方向右側）へ角度を有して配置される。これにより、車両１の床の下方全体が複数のランプ１１の光の照射範囲２１となる。
【００２２】
よって、運転者などが車両１から離れた場所にて、リモコン１４にて前記ランプ点灯スイッチをオンにすることで、リモコン１４からランプ１１の点灯信号が無線発信され、この信号を受信機１３で受信すると、ＥＣＵ１２は、前記信号に基づき複数のランプ１１による光の照射動作（点灯、消灯）を制御することになる。これにより、複数のランプ１１による光が助手席側に対応する車両１の下方へ向けて照射されることになる。このとき、運転席側の下方である車両１の床下に不審者Ｘがいる場合には、複数のランプ１１からの光の照射範囲２１にて、不審者Ｘに光が当たり、複数のランプ１１側にて不審者Ｘの輪郭Ｘａが浮かびあがることになる。
【００２３】
したがって、本実施形態によれば、リモコン１４を操作することにより、車両１の下部に設けられた複数のランプ１１から光を照射することができる。複数のランプ１１が車両下方向に対し車幅方向内側へ角度を有して配置されることから、車両１の車幅方向側部の外側またはその近傍にて複数のランプ１１からの光が生じることになる。不審者Ｘが運転席側の下方にいる場合には、不審者Ｘの輪郭Ｘａが浮かび上がることになる。そのため、運転者などのリモコン１４を操作する人が車両１から離れた場所にて車両下方の状況について容易に把握できる。
【００２４】
［第二の実施形態］
本発明の第二の実施形態に係る車両下方照明装置について、図５を用いて以下に説明する。
なお、本実施形態では、上述した第一の実施形態（図１）に示した車両下方照明装置のランプの配置箇所を変更した構成となっている。本実施形態に係る車両下方照明装置は、第一の実施形態の車両下方照明装置と概ね同一であり、同一の機器には同一の符号を付記し重複する説明を適宜省略する。図５においては、図１と同様、車幅方向左側に運転席があり、車幅方向右側に助手席がある車両への適用を前提にして説明する。
【００２５】
本実施形態に係る車両下方照明装置１０Ａは、上述した車両下方照明装置１０と同一の機器を備えると共に、図５に示すように、車幅方向右側部にて車両１の下方の部材に設けられる複数（図５（ｂ）では４つ）のランプ１１Ａを備える。例えば、複数のランプ１１Ａを助手席側のサイドステップ７の下部の車幅方向内側にに設けることができる。
【００２６】
複数のランプ１１Ａは、車両下方に対し車幅方向内側へ角度を有して配置される。すなわち、複数のランプ１１Ａは、図５に示すように、助手席の乗員Ｐ２側である車幅方向右側部の車両１の下方の部材（例えば、サイドステップ７）にて、車両下方に対し車幅方向内側（車幅方向左側）へ角度を有して配置される。これにより、車両１の床の下方全体が複数のランプ１１Ａの光の照射範囲２１Ａとなる。また、運転席の下方に不審者Ｘがいる場合には、複数のランプ１１Ａが照射する光により、運転席側であるサイドステップ７の車幅方向外側に影２２が生じることになる。
【００２７】
よって、運転者などが車両１から離れた場所にて、リモコン１４にて前記ランプ点灯スイッチをオンにすることで、リモコン１４からランプ１１Ａの点灯信号が無線発信され、この信号を受信機１３で受信すると、ＥＣＵ１２は、前記信号に基づき複数のランプ１１Ａにおる光の照射動作（点灯、消灯）を制御することになる。これにより、複数のランプ１１Ａによる光が運転席側に対応する車両１の下方へ向けて照射されることになる。このとき、運転席側の下方である車両１の床下に不審者Ｘがいる場合には、複数のランプ１１Ａからの光の照射範囲２１Ａにて、不審者Ｘに光が当たりランプ１１Ａと反対側をなす運転席側であるサイドステップ７の車幅方向外側に影２２が生じることになる。
【００２８】
したがって、本実施形態によれば、リモコン１４を操作することにより、車両１の下部に設けられた複数のランプ１１Ａから光を照射することができる。複数のランプ１１Ａが車両下方向に対し車幅方向内側へ角度を有して配置されることから、車両１の車幅方向側部の外側またはその近傍にて複数のランプ１１Ａからの光および前記光が遮られてなる影が生じることになる。不審者Ｘが運転席側の下方にいる場合には、不審者Ｘの影２２が生じることになる。そのため、運転者などのリモコン１４を操作する人が車両１から離れた場所にて車両下方の状況について容易に把握できる。
【００２９】
なお、上記では、車幅方向左側および車幅方向右側をそれぞれ運転席および助手席とし、運転席側と助手席側のそれぞれに本発明の車両下方照明装置を適用した場合について説明したが、運転席と助手席の位置が逆の場合にも適用可能であるし、運転席側と助手席側の両方に適用することも可能である。
また、車両の下方の部材にブラケットなどを介してランプを設けることも可能である。リモコン１４の機能を車両の開閉操作などを行うキーレスエントリーキーに付加することも可能である。また、リモコン１４および受信機１３として、点灯・消灯信号を有線で送受信する機器を用いることも可能である。
【符号の説明】
【００３０】
１      車両
２ＦＬ  左前輪
２ＦＲ  右前輪
２ＲＬ  左後輪
２ＲＲ  右前輪
５      サイドシル
５ａ    サイドシルアウタ
５ｂ    サイドシルインナ
５ｃ    サイドシルリンホース
６      センターピラー
７      サイドステップ
１０，１０Ａ    車両下方照明装置
１１，１１Ａ    ランプ（光照射手段）
１２    制御装置（制御手段）
１３    受信機
１４    リモコン（発信手段）
２１，２１Ａ    光の照射範囲
２２    影の範囲
Ｇ      路面
Ｐ１    運転者
Ｐ２    助手席の乗員
Ｘ    不審者（障害物）
【図１】
2017114286.tif 000003
【図２】
2017114286.tif 000004
【図３】
2017114286.tif 000005
【図４】
2017114286.tif 000006
【図５】
2017114286.tif 000007